(57)【要約】【課題】  装置内での正イオン及び負イオンの減少を抑制し、正イオン及び負イオンを室内全体にバランス良く供給することができるイオン発生装置を実現する。【解決手段】  本発明に係るイオン発生装置１は、正イオンを発生させる第１イオン発生手段３５と、負イオンを発生させる第２イオン発生手段４５とを備えたイオン発生装置１であって、第１イオン発生手段３５より発生した正イオンを導出する第１風路３１と、第２イオン発生手段４５より発生した負イオンを導出する第２風路４１を備え、第１風路３１のイオン量が第２風路４１のイオン量より多い第１状態と、第２風路４１のイオン量が第１風路３１のイオン量より多い第２状態とを有し、第１状態と第２状態が交互に生じることを特徴とする。【選択図】  図３
2014010947.tif 000002
【特許請求の範囲】
【請求項１】
正イオンを発生させる第１イオン発生手段と、
負イオンを発生させる第２イオン発生手段とを備えたイオン発生装置であって、
前記第１イオン発生手段より発生した正イオンを導出する第１風路と、
前記第２イオン発生手段より発生した負イオンを導出する第２風路を備え、
前記第１風路のイオン量が前記第２風路のイオン量より多い第１状態と、
前記第２風路のイオン量が前記第１風路のイオン量より多い第２状態とを有し、
前記第１状態と前記第２状態が交互に生じることを特徴とするイオン発生装置。
【請求項２】
前記第１風路は、前記第１イオン発生手段を備え、
前記第２風路は、前記第２イオン発生手段を備えており、
前記第１イオン発生手段及び前記第２イオン発生手段は、各イオン発生手段のイオン発生量を個別に制御できる制御装置に接続されていることを特徴とする請求項１に記載のイオン発生装置。
【請求項３】
前記第１風路は、第１吹出口を有し、前記第２風路は、第２吹出口を有することを特徴とする請求項１または２に記載のイオン発生装置。
【請求項４】
前記第１吹出口は、前記第２吹出口より上部に配置されることを特徴とする請求項３に記載のイオン発生装置。
【請求項５】
前記第１風路は、第１送風機を備え、
前記第２風路は、第２送風機を備えており、
前記第１状態では、前記第１送風機の出力は前記第２送風機の出力より大きく、
前記第２状態では、前記第２送風機の出力は前記第１送風機の出力より大きいことを特徴とする請求項１〜４のいずれかに記載のイオン発生装置。
【請求項６】
前記第１状態及び前記第２状態は、一定時間ごとに交互に生じることを特徴とする請求項１〜５のいずれかに記載のイオン発生装置。
【発明の詳細な説明】
【技術分野】
【０００１】
本発明は、空気中に正イオン及び負イオンを放出して、室内の除菌や除電、消臭を行うイオン発生装置に関する。
【背景技術】
【０００２】
近年、正イオン及び負イオンを放出するイオン発生装置が実用化されており、室内空間内に浮遊するカビ菌やウィルスの分解、ニオイの除去、集塵等の効果をもたらすことが知られている。
【０００３】
例えば、特許文献１では、正イオン及び負イオンを空気中に発生することができるイオン発生器を組み込んだ空気清浄装置が開示されており、図８は、特許文献１の空気清浄装置の側面概略図である。空気清浄装置１０１は、正の電圧の印加によりプラスイオンを発生する針状陽電極１０２と、負の電圧の印加によりマイナスイオンを発生する針状陰電極１０３と、針状陽電極１０２及び針状陰電極１０３に電圧を印加する電圧印加手段１０４を備え、針状陽電極１０２及び針状陰電極１０３は、エアミックスチャンバ１０５内に配置している。電圧印加手段１０４は、針状陽電極１０２に正電圧を印加することと針状陰電極１０３に負電圧を印加することとを交互に周期的に繰返して行う。こうすることで、両イオンの分散のタイミングがずれ、両イオンの結合を防止することができる。
【先行技術文献】
【特許文献】
【０００４】
【特許文献１】特開２００５−２４３２８８号公報（平成１７年９月８日公開）
【発明の概要】
【発明が解決しようとする課題】
【０００５】
しかしながら、特許文献１の空気清浄装置のように、正イオンと負イオンを交互に発生させたとしても、正イオン及び負イオンは同じエアミックスチャンバ１０５内に発生するため、両イオンの結合を防ぐことはできない。そこで、装置内での両イオンの結合を防ぐために正イオンと負イオンを別々の風路で発生させ、空間に放出する方法も考えられる。その場合、正イオン及び負イオンを同時に発生させたとしても、装置内での結合は防げるが、その場合においても、正イオンと負イオンを同程度に放出させた場合には、吹出口近傍に正イオン及び負イオンが高密度で存在することになることから、両イオンが吹出口近傍で結合してしまうという課題があった。
【０００６】
本発明は、上記のような課題に鑑みてなされたものであり、その目的は、正イオンと負イオンが結合する割合を抑制し、正イオン及び負イオンを室内全体にバランス良く供給することができるイオン発生装置を提供することである。
【課題を解決するための手段】
【０００７】
本発明に係るイオン発生装置は、正イオンを発生させる第１イオン発生手段と、負イオンを発生させる第２イオン発生手段とを備えたイオン発生装置であって、第１イオン発生手段より発生した正イオンを導出する第１風路と、第２イオン発生手段より発生した負イオンを導出する第２風路を備え、第１風路のイオン量が第２風路のイオン量より多い第１状態と、第２風路のイオン量が第１風路のイオン量より多い第２状態とを有し、第１状態と第２状態が交互に生じることを特徴とする。
【０００８】
また、第１風路は、第１イオン発生手段を備え、第２風路は、第２イオン発生手段を備えており、第１イオン発生手段及び第２イオン発生手段は、各イオン発生手段のイオン発生量を個別に制御できる制御装置に接続されていることを特徴としても良い。また、第１風路は、第１吹出口を有し、第２風路は、第２吹出口を有することを特徴としても良い。また、第１吹出口は、第２吹出口より上部に配置されることを特徴としても良い。また、第１風路は、第１送風機を備え、第２風路は、第２送風機を備えており、第１状態では、第１送風機の出力は第２送風機の出力より大きく、第２状態では、第２送風機の出力は第１送風機の出力より大きいことを特徴としても良い。また、第１状態及び第２状態は、一定時間ごとに交互に生じることを特徴としても良い。
【発明の効果】
【０００９】
本発明によれば、正イオン及び負イオンを室内全体にバランス良く供給し、効果的に殺菌作用、脱臭作用、更には除電作用を得ることができる。
【図面の簡単な説明】
【００１０】
【図１】実施形態に係るイオン発生装置の構成を示す斜視図である。
【図２】実施形態に係るイオン発生装置の構成を示す断面図である。
【図３】実施形態１に係るイオン発生装置によるイオン放出の状態を示した図である。
【図４】制御装置から各イオン発生手段へ送る電圧波形の一例を示した図である。
【図５】制御装置から各イオン発生手段へ送る電圧波形の一例を示した図である。
【図６】制御装置から各イオン発生手段へ送る電圧波形の一例を示した図である。
【図７】実施形態２に係るイオン発生装置によるイオン放出の状態を示した図である。
【図８】従来技術である特許文献１に係る殺菌・脱臭装置の構成を示す斜視図である。
【発明を実施するための形態】
【００１１】
以下、本発明の実施の形態について図面に基づいて説明する。なお、本発明の図面において、同一の参照符号は、同一部分又は相当部分を表わすものとする。また、各部分の長さ、幅、厚さ、深さなどの寸法関係は図面の明瞭化と簡略化のために適宜変更されており、実際の寸法関係を表わすものではない。
【００１２】
〔実施形態１〕
図１は、本発明のイオン発生装置１の斜視図である。本実施形態のイオン発生装置１は、筐体２から外形を形成し、筐体２は、正イオンあるいは負イオンの一方を含んだ清浄空気を放出する第１吹出口３、第１吹出口３から放出するイオンと逆極性のイオンを含んだ清浄空気を吹き出す第２吹出口４、イオン発生装置１を操作するための操作パネル部５、イオン発生装置１の運転状況を表示する運転表示部６とを備えている。本実施形態では、筐体２の前面に第１吹出口３と第２吹出口４が設けられているが、それに限られない。筐体２は、ポリスチレン、ポリカーボネート、アクリルなどの樹脂や、導電性、加工性、汎用性の高い銅やアルミニウムの金属から構成されており、樹脂あるいは金属の単層でも良く、それぞれを重ね合わせた複層でも良い。
【００１３】
図２は、図１に示すイオン発生装置１のＡ−Ａ’部の断面図である。イオン発生装置１は、二つの風路を備えており、第１吹出口３及び第２吹出口４は、それぞれ第１風路３１及び第２風路４１に接続されている。
【００１４】
第１風路３１は、イオンを含んだ空気を導出する役割を有し、背面側に室内の空気を取り込む第１吸込口３２を設け、第１吸込口３２付近には、風路に取り込む空気中の粉塵等を捉える第１フィルター３３を備える。第１風路３１の内部には、第１吸込口３２から取り込んだ空気を第１吹出口３に送風するための第１送風機３４と、正イオンあるいは負イオンの一方を発生させる第１イオン発生手段３５を備える。第１吸込口３２から取り込んだ空気は、第１フィルター３３により清浄され、第１イオン発生手段３５から発生したイオンを含んで第１吹出口３から室内に放出される。第１イオン発生手段３５は、第１フィルター３３及び第１送風機３４よりも第１吹出口３側に配置されるほうが好ましい。第１イオン発生手段３５と第１吹出口３の間に第１フィルター３３あるいは第１送風機３４等が存在すると、第１イオン発生手段３５から発生したイオンが第１フィルター３３あるいは第１送風機３４等に接触してしまうため、第１吹出口３から放出されるイオン量が減少してしまう。そのため、第１イオン発生手段３５と第１吹出口３の間には、何も配置されていないことが好ましい。
【００１５】
第２風路４１は、イオンを含んだ空気を導出する役割を有し、第１風路３１と同様の構成である。第２風路４１は、背面側に室内の空気を取り込む第２吸込口４２を設け、第２吸込口４２付近には、風路に取り込む空気中の粉塵等を捉える第２フィルター４３を備える。第２風路４１の内部には、第２吸込口４２から取り込んだ空気を第２吹出口４に送風するための第２送風機４４と、第１イオン発生手段３５から発生させるイオンと逆極性のイオンを発生させる第２イオン発生手段４５を備える。第２吸込口４２から取り込んだ空気は、第２フィルター４３により清浄され、第２イオン発生手段４５から発生したイオンを含んで第２吹出口４から室内に放出される。第２イオン発生手段４５は、第２フィルター４３及び第２送風機４４よりも第２吹出口４側に配置されるほうが好ましい。第２イオン発生手段４５と第２吹出口４の間に第２フィルター４３あるいは第２送風機４４等が存在すると、第２イオン発生手段４５から発生したイオンが第２フィルター４３あるいは第２送風機４４等に接触してしまうため、第２吹出口４から放出されるイオン量が減少してしまう。そのため、第２イオン発生手段４５と第２吹出口４の間には、何も配置されていないことが好ましい。
【００１６】
このように、互いに逆極性のイオンを発生させる第１イオン発生手段３５及び第２イオン発生手段４５を、独立した別々の風路内に備え、発生させたイオンを独立した第１吹出口３及び第２吹出口４から室内に放出することによって、イオン発生装置１内で正イオン及び負イオンが混合し、結合することを防止している。
【００１７】
第１送風機３４及び第２送風機４４は、ファンなどから構成され、各吸込口から空気を取り込み、取り込んだ空気にイオンを含んで各吹出口から室内に放出する役割を有する。実施形態１では、第１送風機３４及び第２送風機４４の出力は等しいとする。
【００１８】
第１イオン発生手段３５及び第２イオン発生手段４５はそれぞれ、２つの電極からなるイオン発生素子からなり、各イオン発生手段のイオン発生量を個別に制御できる制御装置７に接続されている。各イオン発生素子は、電源により２つの電極間に電圧差を作り、コロナ放電を生じさせ、イオンを発生させる。例えば、図２では、一方の電極を接地させ、他方の電極には制御装置７から正または負の電圧を印加させることによって、正イオンまたは負イオンを発生させている。電極は、導電部材からなり、針状や線状、板状、リング状等の形状を有する。図２においては、各イオン発生手段は、２つの針状の電極を対向配置させたイオン発生素子を用いているが、電極の形状や配置はこれに限定されるものではない。また、各イオン発生手段は、複数のイオン発生素子から構成されていても良い。
【００１９】
本実施形態においては、第１イオン発生手段３５により正イオンを発生させて第１吹出口３から放出させ、第２イオン発生手段４５により負イオンを発生させて第２吹出口４から放出させた。
【００２０】
制御装置７は、電源などから構成され、第１イオン発生手段３５及び第２イオン発生手段４５に任意の電気信号を送ることで、各イオン発生手段から発生するイオン量を制御する役割を有している。制御装置７がイオン発生手段に電圧が高い電気信号を送ると、発生するイオン量が多くなり、室内に放出するイオン量は多くなる。一方、電圧が低い電気信号を送ると、発生するイオン量が少なくなり、室内に放出するイオン量は少なくなる。また、制御装置７がイオン発生手段に正の電圧を送ると、正イオンが発生し、負の電圧を送ると、負イオンが発生する。このように制御装置７により各イオン発生手段に送る電気信号を制御することによって、室内に放出する正イオン及び負イオンの量を個別に制御することができる。
【００２１】
本発明に係るイオン発生装置１は、第１風路３１の正イオン量が第２風路４１の負イオン量より多い第１状態と、第２風路４１の負イオン量が第１風路３１の正イオン量より多い第２状態を有しており、さらに第１状態と第２状態を交互に生じさせることができる。第１状態は、制御装置７によって第１イオン発生手段３５からのイオン発生量を第２イオン発生手段４５からのイオン発生量よりも多くすることで生じ、第２状態は、制御装置７によって第２イオン発生手段４５からのイオン発生量を第１イオン発生手段３５からのイオン発生量よりも多くすることで生じる。
【００２２】
図３は、実施形態１のイオン発生装置１によるイオン放出の状態を示した図であり、図３（ａ）は、第１状態を示した図であり、図３（ｂ）は、第２状態を示した図である。第１状態においては、第１イオン発生手段３５から発生する正イオンが第２イオン発生手段４５から発生する負イオンより多くなるため、第１吹出口３から放出される正イオンの方が負イオンより多く室内空間に放出される。それに対して、第２状態においては、第２イオン発生手段４５から発生する負イオンが第１イオン発生手段３５から発生する正イオンより多くなるため、第２吹出口４から放出される負イオンの方が正イオンより多く室内空間に放出される。これらの結果、第１状態及び第２状態でイオン発生装置１が運転している場合、第１吹出口３と第２吹出口４の近傍で正イオンと負イオンが混合し、結合する割合を抑制することができる。
【００２３】
さらに、制御装置７により第１状態と第２状態を一定時間ごとに交互に生じさせることによって、正イオン及び負イオンをバランスよく室内に放出することができる。イオン発生装置１の近傍で結合させずに、室内全体に正イオン及び負イオンを供給することで、室内全体において、空気中に浮遊するカビ菌やウィルスの分解、ニオイの除去、集塵等などの効果を生むことができる。
【００２４】
また、従来では、正イオン及び負イオンを室内全体に供給するために風量を大きくすることが一般的であったが、風量を大きくすると、電力消費と騒音が増大してしまうといった問題があった。一方、本発明では、従来のように風量を大きくせずに効果的にイオンを供給することができるため、上記のような問題を抑制することができる。
【００２５】
次に、第１イオン発生手段３５及び第２イオン発生手段４５から発生するイオン量を制御する方法について説明する。上記で述べたように、第１風路３１及び第２風路４１のイオン量の制御は、制御装置７から第１イオン発生手段３５及び第２イオン発生手段４５に送る電気信号で制御することができる。そのため、第１状態と第２状態を一定時間ごとに交互に生じさせるためには、例えば、図４、図５、図６に示すような電気信号を制御装置７から第１イオン発生手段３５及び第２イオン発生手段４５に送れば良い。各図の（ａ）は、第１イオン発生手段３５への電気信号の電圧波形を示し、各図の（ｂ）は、第２イオン発生手段４５への電気信号の電圧波形を示す。各図の横軸は時間を示し、縦軸は各イオン発生手段への電圧の大きさを示す。横軸上のＴは、一周期を表し、縦軸の電圧の大きさは、最大電圧を±１とした相対値で表している。期間Ｔ１では、第１イオン発生手段３５への電圧を第２イオン発生手段４５への電圧よりも大きくする。その結果、第１イオン発生手段３５から発生する正イオンは、第２イオン発生手段４５から発生する負イオンより多くなるため、第１状態となる。期間Ｔ２では、第２イオン発生手段４５への電圧を第１イオン発生手段３５への電圧よりも大きくする。その結果、第２イオン発生手段４５から発生する負イオンは、第１イオン発生手段３５から発生する正イオンより多くなるため、第２状態となる。
【００２６】
図４及び図５は、制御装置７から各イオン発生手段へ送る電気信号の一例を示した図であり、図４では矩形波の信号を用いており、図５では正弦波の電圧を用いている。図４及び図５では、第１状態である期間Ｔ１と第２状態である期間Ｔ２が交互に起こっており、期間Ｔ１と期間Ｔ２の合計が一周期となっている。このように、第１イオン発生手段３５及び第２イオン発生手段４５へ送る電気信号の電圧を制御することによって、第１状態と第２状態を一定時間ごとに交互に起こすことが可能となる。
【００２７】
図６も、制御装置７から各イオン発生手段へ送る電気信号の一例を示した図であり、図４と同様に矩形波の信号を用いているが、第１状態である期間Ｔ１と第２状態である期間Ｔ２の間に第１イオン発生手段３５及び第２イオン発生手段４５への電圧が共に最大となる期間を設けていることが図４とは異なる。このように、第１イオン発生手段３５及び第２イオン発生手段４５への電気信号のＤＵＴＹ比を変化させて、第１状態と第２状態を一定時間ごとに交互に生じさせても良い。
【００２８】
なお、図４〜６において、イオン発生手段への最低電圧は、最高電圧の６割としたが、これに限定されない。本発明では第１イオン発生手段３５と第２イオン発生手段４５のイオン発生量に差を作ることができればよく、例えば、一方のイオン発生手段に電圧を印加し、他方のイオン発生手段に電圧を印加しないことで、二つのイオン発生手段からのイオン発生量に差を作っても良い。
【００２９】
本実施形態において、期間Ｔ１と期間Ｔ２をほぼ同等にすることが好ましい。そうすることで、室内空間に放出される正イオン及び負イオンがほぼ同量になるため、空気中に浮遊するカビ菌やウィルスの分解、ニオイの除去、集塵等などの効果を効果的に生むことが可能となる。
【００３０】
また、第１吹出口３及び第２吹出口４は、略等しい開口面積であることが好ましい。各吹出口から放出されるイオンを含んだ清浄空気の風速は、各吹出口の開口面積と、風路内を通る風量から決定され、風速と風量は比例関係にある。第１送風機３４及び第２送風機４４の出力が等しいと、第１風路３１及び第２風路４１内を通る風量は等しくなる。しかし、第１吹出口３及び第２吹出口４の開口面積に差があると、風速に差ができてしまうため、正イオンと負イオンの間に室内への供給のバランスに差ができてしまう。そのため、第１送風機３４及び第２送風機４４の出力を略等しくし、第１吹出口３及び第２吹出口４の開口面積を略等しくすることによって、正イオン及び負イオンをバランスよく室内に放出することができる。
【００３１】
また、正イオンを放出する第１吹出口３は、負イオンを放出する第２吹出口４より上部に配置されており、室内空間の中心付近に向いていることが好ましい。正イオンは質量が重いため、移動度が低く拡散しにくい性質を持つが、負イオンは移動度が高く拡散し易い性質を持つ。正イオンを負イオンよりも下部から放出させた場合、正イオンは、上部から放出する負イオンに遮られるため、空間の上部まで拡散しにくい。それに対して、正イオンを負イオンよりも上部から放出させた場合、負イオンは、移動度が高いため、空間の上部にも供給されやすい。さらに、移動度が低い正イオンを室内空間の中心付近に向けて放出することによって、より効率的に正イオンを室内全体に供給することが可能となる。
【００３２】
なお、本実施形態のイオン発生装置１は、別々の吸込口に接続された二つの独立した風路を備えているが、正イオン及び負イオンをイオン発生装置１内で混合させずに、別々に室内に放出することができれば、一つの吸込口から二つの風路に分離する構成であっても良い。このとき、送風機は、二つに分離してから各風路に一つずつ備えても良いし、吸込口付近に一つだけ備えても良い。
【００３３】
〔実施形態２〕
実施形態１のイオン発生装置１では、第１送風機３４及び第２送風機４４の出力は等しく設定したが、実施形態２のイオン発生装置１では、第１状態と第２状態において、第１送風機３４及び第２送風機４４の出力を個別に制御できるように構成し、その他の部分については、実施形態１と同様の構成とする。
【００３４】
図７は、実施形態２のイオン発生装置１によるイオン放出の状態を示した図であり、図７（ａ）は、第１状態を示した図であり、図７（ｂ）は、第２状態を示した図である。第１送風機３４及び第２送風機４４は、制御装置７に接続されており、各送風機の出力を個別に制御することができる。
【００３５】
第１状態では、実施形態１と同様に制御装置７によって第１イオン発生手段３５からのイオン発生量を第２イオン発生手段４５からのイオン発生量より多くする。さらに、制御装置７によって第１送風機３４の出力を第２送風機４４の出力よりも大きくし、第１風路３１の風量を第２風路４１の風量より多くする。その結果、第１吹出口３から放出される正イオンは、実施形態１と比べると負イオンよりもより多く室内空間に放出される。
【００３６】
一方、第２状態では、実施形態１と同様に制御装置７によって第２イオン発生手段４５からのイオン発生量を第１イオン発生手段３５からのイオン発生量より多くする。さらに、制御装置７によって第２送風機４４の出力を第１送風機３４の出力よりも大きくし、第２風路４１の風量を第１風路３１の風量より多くする。その結果、第２吹出口４から放出される負イオンは、実施形態１と比べると正イオンよりもより多く室内空間に放出される。
【００３７】
このように、第１状態及び第２状態において、第１イオン発生手段３５と第２イオン発生手段４５を制御すると同時に、第１送風機３４及び第２送風機４４を制御装置７により制御することによって、第１状態及び第２状態では、第１吹出口３と第２吹出口４の近傍で正イオンと負イオンが混合し、結合する割合をさらに抑制することが可能となる。
【００３８】
さらに、制御装置７により第１状態と第２状態を一定時間ごとに交互に生じさせることによって、二つの吹出口から放出する風量が時間的に変化するため、一定の風量で放出する方式よりも、室内の空気をかき回す作用が強くなり、室内の空気が効果的に混合される。イオンの供給は、空気の流れによる影響が大きいため、室内の空気が効果的に混合されることにより、正イオン及び負イオンを室内全体に供給しやすくすることができる。
【００３９】
また、第１吹出口３及び第２吹出口４は、略等しい開口面積であることが好ましい。こうすると、第１状態では、第１吹出口３から放出される正イオンを含んだ空気の風速は、第２吹出口４から放出される負イオンを含んだ空気の風速よりも大きくなるため、正イオンは負イオンに比べるとイオン発生装置１から離れた場所に供給される。同様に、第２状態では、第２吹出口４から放出される負イオンを含んだ空気の風速は、第１吹出口３から放出される正イオンを含んだ空気の風速よりも大きくなるため、負イオンは正イオンに比べるとイオン発生装置１から離れた場所に供給される。これらの結果、第１状態及び第２状態において、同じ領域で正イオン及び負イオンが高密度で混合することがなく、結合する割合をより抑制させることができる。
【００４０】
また、実施形態２のイオン発生装置１では、第１送風機３４及び第２送風機４４の出力を制御するために実施形態１で各イオン発生手段を制御する制御装置７を共同で用いたが、第１送風機３４及び第２送風機４４の出力を制御するための専用の制御装置を別に用意し、用いても良い。
【００４１】
以上、本発明の実施形態について説明したが、本発明は上記の実施形態に限定されるものではなく、本発明の範囲は特許請求の範囲によって示され、特許請求の範囲と均等の意味および範囲内でのすべての変更が含まれることが意図される。
【００４２】
本発明に係るイオン発生装置は、空気調和機、除湿器、除電装置、加湿器、空気清浄機、ファンヒ−タ等に用いても良く、主として、家屋の室内、ビルの一室、病院の病室、自動車の車室内、飛行機の機内、船の船室内等の空気を調整すべく用いられる装置である。
【符号の説明】
【００４３】
１  イオン発生装置
２  筐体
３  第１吹出口
４  第２吹出口
５  操作パネル部
６  運転表示部
７  制御装置
３１  第１風路
３２  第１吸込口
３３  第１フィルター
３４  第１送風機
３５  第１イオン発生手段
４１  第２風路
４２  第２吸込口
４３  第２フィルター
４４  第２送風機
４５  第２イオン発生手段
【図１】
2014010947.tif 000003
【図２】
2014010947.tif 000004
【図３】
2014010947.tif 000005
【図４】
2014010947.tif 000006
【図５】
2014010947.tif 000007
【図６】
2014010947.tif 000008
【図７】
2014010947.tif 000009
【図８】
2014010947.tif 000010